(57)【要約】【課題】太陽光発電モジュールの状態および発電量に関する情報を有効に利用することを可能とすることができる情報処理装置などを提供する。【解決手段】太陽光発電モジュールの状態に関する情報であるモジュール状態情報と、前記太陽光発電モジュールの発電量に関する情報である発電量情報とのうちの一方の情報から他方の情報への変換を行う変換部を備え、前記モジュール状態情報は、前記太陽光発電モジュールの方位、角度、あるいは容量のうちの１以上の情報を含む、情報処理装置である。【選択図】図３
2018137961.tif 000002
【特許請求の範囲】
【請求項１】
太陽光発電モジュールの状態に関する情報であるモジュール状態情報と、前記太陽光発電モジュールの発電量に関する情報である発電量情報とのうちの一方の情報から他方の情報への変換を行う変換部を備え、
前記モジュール状態情報は、前記太陽光発電モジュールの方位、角度、あるいは容量のうちの１以上の情報を含む、
情報処理装置。
【請求項２】
前記変換部は、前記モジュール状態情報と前記発電量情報との変換の条件に関する情報である変換条件情報に基づいて、前記変換を行い、
前記変換条件情報は、前記太陽光発電モジュールの緯度または経度、日時、温度、天気、太陽方位、あるいは太陽高度のうちの１以上の情報を含む、
請求項１に記載の情報処理装置。
【請求項３】
前記変換部による前記変換の結果の情報に基づいて、所定の判定を行う判定部を備える、
請求項１または請求項２のいずれか１項に記載の情報処理装置。
【請求項４】
前記所定の判定は、前記太陽光発電モジュールの故障の有無の判定である、
請求項３に記載の情報処理装置。
【請求項５】
前記変換部は、前記モジュール状態情報から前記発電量情報への変換を行い、
前記判定部は、前記変換部により変換された結果の前記発電量情報と、前記太陽光発電モジュールについて測定された発電量の情報とを比較して、立ち上がり、立ち下がり、あるいは発電量の劣化のうちの１以上に基づいて前記太陽光発電モジュールの故障の有無の判定を行う、
請求項４に記載の情報処理装置。
【請求項６】
太陽光発電モジュールの状態に関する情報であるモジュール状態情報と、前記太陽光発電モジュールの発電量に関する情報である発電量情報とのうちの一方の情報から他方の情報への変換を行い、
前記モジュール状態情報は、前記太陽光発電モジュールの方位、角度、あるいは容量のうちの１以上の情報を含む、
情報処理方法。
【請求項７】
太陽光発電モジュールの状態に関する情報であるモジュール状態情報と、前記太陽光発電モジュールの発電量に関する情報である発電量情報とのうちの一方の情報から他方の情報への変換を行うステップを、
コンピュータに実行させるためのプログラムであって、
前記モジュール状態情報は、前記太陽光発電モジュールの方位、角度、あるいは容量のうちの１以上の情報を含む、
プログラム。
【発明の詳細な説明】
【技術分野】
【０００１】
本発明は、情報処理装置、情報処理方法およびプログラムに関する。
【背景技術】
【０００２】
太陽光パネルにより太陽光を利用して電力を発電することが行われている。太陽光パネルは、例えば、複数個のセルを接続して構成される。また、複数個の太陽光パネルを接続してストリングが構成される場合もある。
本明細書では、セル、太陽光パネルあるいはストリングなどのように、太陽光発電を用いる装置（太陽光発電装置）を、太陽光発電モジュールとも呼ぶ。
【０００３】
例えば、特許文献１には、太陽光発電装置が設置された場所の緯度および経度と日時から太陽方位および太陽高度を算出するなどして、予測日射量が最大となる最大発電傾斜角を取得し、太陽光パネル（太陽光発電パネル）が搭載される可動架台の傾斜角を最大発電傾斜角に設定する制御方法が提案されている（特許文献１参照。）。
しかしながら、特許文献１に記載された技術では、例えば、太陽光パネルなどの太陽光発電モジュールが固定されている状態において、当該太陽光発電モジュールによる発電の出力から当該太陽光発電モジュールの方位、角度、容量を把握することはできなかった。
【０００４】
例えば、太陽光発電モジュールが設置された方位あるいは角度などを調べるためには、調査員（人）が、当該太陽光発電モジュールが設置された場所（現地）に行き、所有者からの聞き取りあるいは設計書の確認をする必要があり、多くの作業量および多くの調査時間を要していた。あるいは、他の方法として、調査員が、外部から当該太陽光発電モジュールを目視して、精度良く測定する必要があり、多くの作業量および多くの調査時間を要していた。
また、家庭用の太陽光パネルなどでは、特に方位および角度が屋根の形状に大きく依存し得ることから、例えば、方位あるいは角度が正確に把握されていない場合、家庭用の太陽光パネルなどを利用して、発電量の把握あるいは日射量の予測を精度良く行うことができなかった。
【０００５】
また、従来の技術では、例えば、太陽光発電モジュールが固定されている状態において、当該太陽光発電モジュールの方位、角度、容量から、当該太陽光発電モジュールによる発電の出力を把握することはできなかった。このため、当該太陽光発電モジュールによる発電の出力に基づいて、当該太陽光発電モジュールの故障の判定を行うことができない（または、難しい）場合があった。
【先行技術文献】
【特許文献】
【０００６】
【特許文献１】特開２０１２−２３１４５号公報
【発明の概要】
【発明が解決しようとする課題】
【０００７】
上述のように、従来では、太陽光発電モジュールの状態および発電量に関する情報の利用が不十分な場合があった。
【０００８】
本発明は、このような事情を考慮してなされたものであり、太陽光発電モジュールの状態および発電量に関する情報を有効に利用することを可能とすることができる情報処理装置、情報処理方法およびプログラムを提供する。
【課題を解決するための手段】
【０００９】
本発明の一態様は、太陽光発電モジュールの状態に関する情報であるモジュール状態情報と、前記太陽光発電モジュールの発電量に関する情報である発電量情報とのうちの一方の情報から他方の情報への変換を行う変換部を備え、前記モジュール状態情報は、前記太陽光発電モジュールの方位、角度、あるいは容量のうちの１以上の情報を含む、情報処理装置である。
【００１０】
本発明の一態様は、情報処理装置において、前記変換部は、前記モジュール状態情報と前記発電量情報との変換の条件に関する情報である変換条件情報に基づいて、前記変換を行い、前記変換条件情報は、前記太陽光発電モジュールの緯度または経度、日時、温度、天気、太陽方位、あるいは太陽高度のうちの１以上の情報を含む、構成が用いられてもよい。
本発明の一態様は、情報処理装置において、前記変換部による前記変換の結果の情報に基づいて、所定の判定を行う判定部を備える、構成が用いられてもよい。
本発明の一態様は、情報処理装置において、前記所定の判定は、前記太陽光発電モジュールの故障の有無の判定である、構成が用いられてもよい。
本発明の一態様は、情報処理装置において、前記変換部は、前記モジュール状態情報から前記発電量情報への変換を行い、前記判定部は、前記変換部により変換された結果の前記発電量情報と、前記太陽光発電モジュールについて測定された発電量の情報とを比較して、立ち上がり、立ち下がり、あるいは発電量の劣化のうちの１以上に基づいて前記太陽光発電モジュールの故障の有無の判定を行う、構成が用いられてもよい。
【００１１】
本発明の一態様は、太陽光発電モジュールの状態に関する情報であるモジュール状態情報と、前記太陽光発電モジュールの発電量に関する情報である発電量情報とのうちの一方の情報から他方の情報への変換を行い、前記モジュール状態情報は、前記太陽光発電モジュールの方位、角度、あるいは容量のうちの１以上の情報を含む、情報処理方法である。
【００１２】
本発明の一態様は、太陽光発電モジュールの状態に関する情報であるモジュール状態情報と、前記太陽光発電モジュールの発電量に関する情報である発電量情報とのうちの一方の情報から他方の情報への変換を行うステップを、コンピュータに実行させるためのプログラムであって、前記モジュール状態情報は、前記太陽光発電モジュールの方位、角度、あるいは容量のうちの１以上の情報を含む、プログラムである。
【発明の効果】
【００１３】
上記した情報処理装置、情報処理方法およびプログラムによれば、太陽光発電モジュールの状態および発電量に関する情報を有効に利用することを可能とすることができる。
【図面の簡単な説明】
【００１４】
【図１】本発明の実施形態に係る家屋における太陽光発電システムの一例の構成を示す図である。
【図２】本発明の実施形態に係る家屋における太陽光発電システムの他の例の構成を示す図である。
【図３】本発明の実施形態に係る情報処理装置の構成例を示す図である。
【図４】本発明の実施形態に係る発電量の特性の例を示す図である。
【図５】本発明の実施形態に係る発電量の特性の例を示す図である。
【図６】本発明の実施形態に係る発電量の特性の例を示す図である。
【図７】本発明の実施形態に係る発電量の特性の例を示す図である。
【図８】本発明の実施形態に係る発電量の特性の例を示す図である。
【図９】本発明の実施形態に係る太陽光発電モジュールの故障判定の例を説明するための図である。
【図１０】本発明の実施形態に係る太陽光発電モジュールの故障判定の例を説明するための図である。
【図１１】本発明の実施形態に係る情報処理装置において行われる処理の手順の一例を示すフローチャートである。
【図１２】本発明の実施形態に係る情報処理装置において行われる処理の手順の他の例を示すフローチャートである。
【図１３】本発明の実施形態に係る情報処理システムの構成例を示す図である。
【発明を実施するための形態】
【００１５】
本発明の実施形態について図面を参照して詳細に説明する。
【００１６】
（第１実施形態）
［太陽光発電システムの一例］
図１は、本発明の実施形態に係る家屋１における太陽光発電システムＡ１の一例の構成を示す図である。
図１には、家屋１と、外部設備２と、家屋１と外部設備２とを接続するケーブル３を示してある。外部設備２は、例えば、電柱などの電力設備である。
家屋１は、屋根１１と、屋内１２を備える。
【００１７】
太陽光発電システムＡ１は、太陽光発電モジュール２１と、接続箱３１と、パワーコンディショナー３２と、モニター３３と、屋内１２の分電盤３４と、電力量メーター３５と、電力量メーター３６を備える。
分電盤３４は、例えば、漏電ブレーカー（漏電遮断器）と、安全ブレーカー（配線用遮断器）を備える。また、分電盤３４は、例えば、アンペアブレーカー（電流制限器）を備えてもよい。
電力量メーター３５および電力量メーター３６としては、それぞれ、任意のメーター（電力量計）が用いられてもよく、例えば、スマートメーターが用いられてもよい。
また、図１には、屋内１２の負荷４１を示してある。負荷４１は、例えば、電化製品などである。
【００１８】
ここで、本実施形態では、家屋１、外部設備２、負荷４１については、太陽光発電システムＡ１以外の構成部であるとしているが、例えば、家屋１、外部設備２、ケーブル３、負荷４１のうちの１以上が太陽光発電システムＡ１に含まれると捉えられてもよい。
また、太陽光発電システムＡ１の構成としては、図１の例に限られず、任意の構成が用いられてもよい。
【００１９】
太陽光発電モジュール２１は、屋根１１に設けられている。
太陽光発電モジュール２１は、例えば、複数の太陽光パネルを組み合わせて構成されている。なお、太陽光発電モジュール２１は、任意の構成であってもよい。
【００２０】
接続箱３１、パワーコンディショナー３２、モニター３３、分電盤３４、電力量メーター３５は、屋内１２に設けられている。
電力量メーター３６は、屋内１２と屋外との境界に設けられている。なお、電力量メーター３６は、屋外に設けられてもよい。
【００２１】
太陽光発電モジュール２１と接続箱３１とが接続されている。
接続箱３１とパワーコンディショナー３２とが接続されている。
パワーコンディショナー３２とモニター３３とが接続されている。パワーコンディショナー３２と分電盤３４とが接続されている。
分電盤３４と負荷４１とが接続されている。分電盤３４と電力量メーター３５とが接続されている。
電力量メーター３５と電力量メーター３６とが接続されている。
電力量メーター３６と外部設備２とが、ケーブル３を介して、接続されている。
ここで、異なる２つの構成部は、例えば、ケーブル（配線）を介して接続されるが、本実施形態では、電力量メーター３６と外部設備２とを接続するケーブル３以外については、符号を省略する。
【００２２】
太陽光発電システムＡ１において行われる動作の一例を示す。
太陽光発電モジュール２１は、太陽光を電力に変換して、当該電力を接続箱３１に出力する。
接続箱３１は、太陽光発電モジュール２１から入力された電力をパワーコンディショナー３２に出力する。接続箱３１は、例えば、直流電力をパワーコンディショナー３２に出力する。また、接続箱３１は、例えば、太陽光発電モジュール２１から複数の配線を介して電力が入力される場合には、これら複数の配線の電力を一つにまとめてパワーコンディショナー３２に出力してもよい。
【００２３】
パワーコンディショナー３２は、接続箱３１から入力された電力を、家庭などの環境で使用することが可能なものに変換する。パワーコンディショナー３２は、例えば、接続箱３１から入力された直流電力を、交流電力に変換する。
そして、パワーコンディショナー３２は、変換後の電力をモニター３３および分電盤３４に出力する。
モニター３３は、画面を有しており、当該画面に、パワーコンディショナー３２から入力された電力に関する情報を表示出力する。当該情報は、任意の情報であってもよく、例えば、電力量（電力のレベル）、電流のレベル、または電圧のレベルなどであってもよい。
【００２４】
分電盤３４は、供給することが可能な電力を負荷４１および電力量メーター３５に出力する。
ここで、分電盤３４により供給することが可能な電力のうち、一部の電力が負荷４１により消費され、残りの電力が電力量メーター３５に出力される。なお、当該一部の電力がゼロ（０）である場合があってもよい。
また、分電盤３４により供給することが可能な電力は、パワーコンディショナー３２から入力された電力と、外部設備２から電力量メーター３５、３６を介して入力された電力のうちの一方または両方である。
本例では、分電盤３４から外部設備２への向きで流れる電力と、外部設備２から分電盤３４への向きで流れる電力があり得る。
【００２５】
電力量メーター３５は、分電盤３４から入力された電力を電力量メーター３６に出力する。
この場合、電力量メーター３６は、電力量メーター３５から入力された電力を外部設備２に出力する。
【００２６】
また、電力量メーター３６は、外部設備２から入力された電力を電力量メーター３５に出力する。
この場合、電力量メーター３５は、電力量メーター３６から入力された電力を分電盤３４に出力する。
【００２７】
電力量メーター３５は、画面を有しており、電力量メーター３６から入力された電力について電力量を検出し、当該画面に、検出された電力量に関する情報を出力する。当該情報は、任意の情報であってもよく、例えば、電力量（電力のレベル）、電流のレベル、または電圧のレベルなどであってもよい。
電力量メーター３６は、画面を有しており、電力量メーター３５から入力された電力について電力量を検出し、当該画面に、検出された電力量に関する情報を出力する。当該情報は、任意の情報であってもよく、例えば、電力量（電力のレベル）、電流のレベル、または電圧のレベルなどであってもよい。
このように、図１の例では、電力量メーター３５は外部設備２から分電盤３４への向きで流れる電力について電力量を検出し、電力量メーター３６は分電盤３４から外部設備２への向きで流れる電力について電力量を検出する。
【００２８】
［太陽光発電システムの他の例］
図２は、本発明の実施形態に係る家屋１０１における太陽光発電システムＡ２の他の例の構成を示す図である。
図２には、家屋１０１と、外部設備１０２と、家屋１０１と外部設備１０２とを接続するケーブル１０３を示してある。外部設備１０２は、例えば、電柱などの電力設備である。
家屋１０１は、屋根１１１と、屋内１１２を備える。
【００２９】
太陽光発電システムＡ２は、太陽光発電モジュール１２１と、接続箱１３１と、パワーコンディショナー１３２と、モニター１３３と、屋内１１２の分電盤１３４と、電力量メーター１３５と、電力量メーター１３６を備える。
分電盤１３４は、例えば、漏電ブレーカー（漏電遮断器）と、安全ブレーカー（配線用遮断器）を備える。また、分電盤１３４は、例えば、アンペアブレーカー（電流制限器）を備えてもよい。
電力量メーター１３５および電力量メーター１３６としては、それぞれ、任意のメーター（電力量計）が用いられてもよく、例えば、スマートメーターが用いられてもよい。
また、図２には、屋内１１２の負荷１４１を示してある。負荷１４１は、例えば、電化製品などである。
【００３０】
ここで、本実施形態では、家屋１０１、外部設備１０２、負荷１４１については、太陽光発電システムＡ２以外の構成部であるとしているが、例えば、家屋１０１、外部設備１０２、ケーブル１０３、負荷１４１のうちの１以上が太陽光発電システムＡ２に含まれると捉えられてもよい。
また、太陽光発電システムＡ２の構成としては、図２の例に限られず、任意の構成が用いられてもよい。
【００３１】
太陽光発電モジュール１２１は、屋根１１１に設けられている。
太陽光発電モジュール１２１は、例えば、複数の太陽光パネルを組み合わせて構成されている。なお、太陽光発電モジュール１２１は、任意の構成であってもよい。
【００３２】
接続箱１３１、パワーコンディショナー１３２、モニター１３３、分電盤１３４は、屋内１１２に設けられている。
電力量メーター１３５および電力量メーター１３６は、屋内１１２と屋外との境界に設けられている。なお、電力量メーター１３５あるいは電力量メーター１３６は、屋外に設けられてもよい。
【００３３】
太陽光発電モジュール１２１と接続箱１３１とが接続されている。
接続箱１３１とパワーコンディショナー１３２とが接続されている。
パワーコンディショナー１３２とモニター１３３とが接続されている。パワーコンディショナー１３２と電力量メーター１３５とが接続されている。
分電盤１３４と負荷１４１とが接続されている。分電盤１３４と電力量メーター１３６とが接続されている。
電力量メーター１３５および電力量メーター１３６のそれぞれと外部設備１０２とが、共通のケーブル１０３を介して、接続されている。
ここで、異なる２つの構成部は、例えば、ケーブル（配線）を介して接続されるが、本実施形態では、電力量メーター１３５および電力量メーター１３６のそれぞれと外部設備１０２とを接続するケーブル１０３以外については、符号を省略する。
【００３４】
太陽光発電システムＡ２において行われる動作の一例を示す。
太陽光発電モジュール１２１は、太陽光を電力に変換して、当該電力を接続箱１３１に出力する。
接続箱１３１は、太陽光発電モジュール１２１から入力された電力をパワーコンディショナー１３２に出力する。接続箱１３１は、例えば、直流電力をパワーコンディショナー１３２に出力する。また、接続箱１３１は、例えば、太陽光発電モジュール１２１から複数の配線を介して電力が入力される場合には、これら複数の配線の電力を一つにまとめてパワーコンディショナー１３２に出力してもよい。
【００３５】
パワーコンディショナー１３２は、接続箱１３１から入力された電力を、家庭などの環境で使用することが可能なものに変換する。パワーコンディショナー１３２は、例えば、接続箱１３１から入力された直流電力を、交流電力に変換する。
そして、パワーコンディショナー１３２は、変換後の電力をモニター１３３および電力量メーター１３５に出力する。
モニター１３３は、画面を有しており、当該画面に、パワーコンディショナー１３２から入力された電力に関する情報を表示出力する。当該情報は、任意の情報であってもよく、例えば、電力量（電力のレベル）、電流のレベル、または電圧のレベルなどであってもよい。
【００３６】
電力量メーター１３５は、パワーコンディショナー１３２から入力された電力を外部設備１０２に出力する。
電力量メーター１３６は、外部設備１０２から入力された電力を分電盤１３４に出力する。
分電盤１３４は、外部設備１０２から電力量メーター１３６を介して入力された電力を負荷１４１に出力（供給）する。
【００３７】
電力量メーター１３５は、画面を有しており、パワーコンディショナー１３２から入力された電力について電力量を検出し、当該画面に、検出された電力量に関する情報を出力する。当該情報は、任意の情報であってもよく、例えば、電力量（電力のレベル）、電流のレベル、または電圧のレベルなどであってもよい。
電力量メーター１３６は、画面を有しており、外部設備１０２から入力された電力について電力量を検出し、当該画面に、検出された電力量に関する情報を出力する。当該情報は、任意の情報であってもよく、例えば、電力量（電力のレベル）、電流のレベル、または電圧のレベルなどであってもよい。
このように、図２の例では、電力量メーター１３６は外部設備１０２から分電盤１３４への向きで流れる電力について電力量を検出し、電力量メーター１３５はパワーコンディショナー１３２から外部設備１０２への向きで流れる電力について電力量を検出する。
【００３８】
［情報処理装置］
図３は、本発明の実施形態に係る情報処理装置２０１の構成例を示す図である。
情報処理装置２０１は、入力部２１１と、出力部２１２と、記憶部２１３と、制御部２１４を備える。
制御部２１４は、情報取得部２２１と、変換部２２２と、判定部２２３を備える。
変換部２２２は、モジュール状態情報算出部２３１と、発電量情報算出部２３２を備える。
判定部２２３は、故障判定部２４１を備える。
【００３９】
入力部２１１は、情報を入力する。
入力部２１１は、例えば、人（ユーザ）により操作される操作部を備え、当該操作部に対して行われた操作に対応した情報（操作の内容を示す情報）を受け付けて入力する。
また、入力部２１１は、例えば、外部の装置から出力された情報を入力する。なお、入力部２１１は、例えば、外部の装置である記憶媒体から情報を入力してもよい。
【００４０】
出力部２１２は、情報を出力する。
出力部２１２は、例えば、外部の装置に情報を出力する。本実施形態では、当該外部の装置として、当該情報を画面に表示出力する表示装置が用いられている。また、出力部２１２は、例えば、音（音声でもよい）などにより情報を出力してもよい。なお、出力部２１２は、例えば、外部の装置である記憶媒体に情報を出力してもよい。
【００４１】
記憶部２１３は、情報を記憶する。
記憶部２１３は、例えば、入力部２１１により入力された情報、制御部２１４により実行されるプログラムおよび当該プログラムで使用されるパラメータの情報など、任意の情報を記憶してもよい。
【００４２】
制御部２１４は、情報処理装置２０１における各種の制御および各種の処理を実行する。
本実施形態では、制御部２１４は、ＣＰＵ（Ｃｅｎｔｒａｌ  Ｐｒｏｃｅｓｓｉｎｇ  Ｕｎｉｔ）を用いて構成されており、記憶部２１３に記憶されたパラメータを使用して、記憶部２１３に記憶されたプログラムを実行することで、各種の動作を行う。
【００４３】
情報取得部２２１は、所定の情報を取得する。情報取得部２２１は、例えば、情報を入力部２１１により入力することで当該情報を取得してもよく、あるいは、記憶部２１３に記憶された情報を取得してもよい。
本実施形態では、当該所定の情報として、太陽光発電モジュールの状態に関する情報（以下、「モジュール状態情報」ともいう。）、あるいは、太陽光発電モジュールの発電量に関する情報（以下、「発電量情報」ともいう。）が用いられる。
また、本実施形態では、当該所定の情報として、さらに、変換の条件に関する情報（以下、「変換条件情報」ともいう。）が用いられる。
【００４４】
変換部２２２は、情報取得部２２１により取得された情報を他の情報へ変換する。
モジュール状態情報算出部２３１は、情報取得部２２１により取得された発電量情報に基づいて、モジュール状態情報を算出する。これにより、モジュール状態情報算出部２３１は、発電量情報をモジュール状態情報に変換する。本実施形態では、モジュール状態情報算出部２３１は、当該変換の際に、変換条件情報を用いる。
発電量情報算出部２３２は、情報取得部２２１により取得されたモジュール状態情報に基づいて、発電量情報を算出する。これにより、発電量情報算出部２３２は、モジュール状態情報を発電量情報に変換する。本実施形態では、発電量情報算出部２３２は、当該変換の際に、変換条件情報を用いる。
【００４５】
判定部２２３は、所定の判定を行う。
本実施形態では、当該所定の判定として、発電量情報に関する判定、あるいは、モジュール状態情報に関する判定が用いられる。
故障判定部２４１は、故障に関する判定を行う。本実施形態では、故障判定部２４１は、発電量情報に基づいて、故障に関する判定を行う、あるいは、モジュール状態情報に基づいて、故障に関する判定を行う。
【００４６】
［モジュール状態情報、発電量情報および変換条件情報］
ここで、本実施形態におけるモジュール状態情報、発電量情報および変換条件情報について説明する。
モジュール状態情報、発電量情報、変換条件情報に含まれる任意の情報は、情報処理装置２０１の記憶部２１３に記憶されてもよい。例えば、変換条件情報は、あらかじめ、情報処理装置２０１の記憶部２１３に記憶されてもよい。
【００４７】
＜モジュール状態情報＞
モジュール状態情報は、太陽光発電モジュールの状態に関する情報であり、例えば、太陽光発電モジュールの方位、太陽光発電モジュールの角度、太陽光発電モジュールの容量、のうちの１以上の情報が用いられる。
太陽光発電モジュールの方位および角度は、例えば、当該太陽光発電モジュールが設置された状態において当該太陽光発電モジュールの面（例えば、太陽光パネルの面）が向く方位および角度である。
【００４８】
ここで、太陽光発電モジュールの方位としては、例えば、東西南北などの方位が用いられる。
また、太陽光発電モジュールの角度としては、例えば、水平面に対する傾斜の角度が用いられる。
また、太陽光発電モジュールの容量としては、例えば、定格容量（公称最大出力）が用いられる。
本実施形態では、太陽光発電モジュールの方位、角度、容量としては、一般的に使用されているものが用いられる。
本実施形態では、モジュール状態情報は、太陽光発電モジュールについて、方位の情報、角度の情報、容量の情報を含む。
【００４９】
＜発電量情報＞
発電量情報は、太陽光発電モジュールの発電量に関する情報であり、例えば、太陽光発電モジュールの発電量、あるいは、当該発電量と実質的に同等な量、のうちの１以上の情報が用いられる。
本実施形態では、発電量情報は、太陽光発電モジュールについて、発電量の情報を含む。
太陽光発電モジュールの発電量としては、例えば、当該太陽光発電モジュールから出力される電力量あるいは当該電力量に応じた値が用いられてもよく、あるいは、当該太陽光発電モジュールから出力される電力の電圧が一定またはほぼ一定である場合には、当該太陽光発電モジュールから出力される電流あるいは当該電流に応じた値が用いられてもよい。
【００５０】
ここで、発電量の情報としては、例えば、１日（２４時間）の発電量の情報が用いられてもよく、あるいは、１日のうちの任意の時間帯（２４時間よりも短い時間）の発電量の情報が用いられてもよい。当該時間帯としては、例えば、太陽光発電モジュールが太陽光により発電することが可能な時間帯（太陽光が照射している時間帯）のうちの一部または全部を含む時間帯が用いられてもよい。
また、発電量の情報としては、好ましい一例として、天気が晴天である日における発電量の情報が用いられるが、他の例として、他の天気の日における発電量の情報が用いられてもよい。
また、発電量の情報としては、複数の異なる日における発電量が平均化された結果（平均化された発電量）の情報が用いられてもよい。当該平均化としては、例えば、同一の時刻ごとの平均化が用いられてもよい。
また、発電量の情報を測定する日あるいは想定する日としては、任意の日が用いられてもよく、例えば、夏至あるいは冬至などの特異日が用いられてもよい。
【００５１】
＜変換条件情報＞
変換条件情報は、モジュール状態情報と発電量情報との変換の条件に関する情報であり、例えば、太陽光発電モジュールが設置された場所の緯度、太陽光発電モジュールが設置された場所の経度、日時、天気、温度、太陽方位、太陽高度、のうちの１以上の情報が用いられる。
本実施形態では、変換条件情報は、太陽光発電モジュールの緯度の情報および経度の情報と、日時の情報を含む。
緯度あるいは経度の情報としては、例えば、１つの太陽光発電モジュール（本実施形態において、ひとまとめの太陽光発電モジュールを示す。）について、一通りの緯度あるいは経度の情報が用いられてもよい。一般に、緯度の情報あるいは経度の情報が多少ずれても、誤差は少ないと考えられる。具体例として、太陽光発電モジュールに対応付けられる緯度あるいは経度の情報としては、当該太陽光発電モジュールにおけるいずれかの位置に対応する緯度あるいは経度の情報が用いられてもよく、あるいは、当該太陽光発電モジュールが設けられた建物（例えば、家屋）の位置（例えば、住所）に対応する緯度あるいは経度の情報が用いられてもよい。
日時の情報としては、例えば、年、月、日、時、分、秒の情報が用いられてもよく、あるいは、これらのうちの年または秒などの一部が省略されてもよい。
【００５２】
＜モジュール状態情報、発電量情報および変換条件情報の関係＞
本実施形態では、モジュール状態情報算出部２３１は、発電量情報および変換条件情報に基づいて、モジュール状態情報を算出する。
また、本実施形態では、発電量情報算出部２３２は、モジュール状態情報および変換条件情報に基づいて、発電量情報を算出する。
【００５３】
ここで、本実施形態では、モジュール状態情報算出部２３１および発電量情報算出部２３２は、同一の式を用いて、それぞれの変換を行う。つまり、モジュール状態情報算出部２３１は所定の式に発電量情報および変換条件情報を代入することでモジュール状態情報を算出し、また、発電量情報算出部２３２は当該所定の式にモジュール状態情報および変換条件情報を代入することで発電量情報を算出する。
【００５４】
ここで、当該所定の式（変換式）の一例を式（１）として示す。
式（１）において、各記号は以下を表す。
Ｐ：太陽光発電モジュールの発電量（単位は、［ｋＷｈ］など）
Ｃ：太陽光発電モジュールの容量（単位は、［ｋＷ］など）
Ｓ：太陽光発電モジュールに照射する日射量（単位は、［ｋＷｈ／ｍ２］など）
Ｈ：損失係数（単位は、無し）
Ｊ：標準日射強度（単位は、［ｋＷ／ｍ２］など）
【００５５】
［数１］
Ｐ  ＝  Ｃ  ×  Ｓ  ×  Ｈ  ÷  Ｊ  ・・（１）
【００５６】
式（１）において、本実施形態では、標準日射強度Ｊ＝１とする。
なお、式（１）は変換式の一例であり、他の変換式が用いられてもよい。
例えば、式（１）において、損失係数Ｈは、不要である場合には無視することとして用いられなくてもよく、この場合、Ｈ＝１とする。また、式（１）において、損失係数Ｈの影響は、例えば、太陽光発電モジュールの容量Ｃのところに含められて考慮されてもよく、この場合、Ｈ＝１とする。
【００５７】
太陽光発電モジュールに照射する日射量Ｓは、例えば、太陽光発電モジュールの方位、太陽光発電モジュールの角度、太陽光発電モジュールが設置された場所の緯度、太陽光発電モジュールが設置された場所の経度、日時を用いて、計算などにより決定される。
また、太陽光発電モジュールに照射する日射量Ｓは、例えば、太陽光発電モジュールの方位、太陽光発電モジュールの角度、太陽方位を用いて、計算などにより決定されてもよい。ここで、太陽方位は、例えば、太陽光発電モジュールが設置された場所の緯度、太陽光発電モジュールが設置された場所の経度、日時を用いて、計算などにより決定される。
また、太陽光発電モジュールに照射する日射量Ｓは、例えば、天気の状態によって調整されてもよい。天気の状態としては、例えば、快晴、晴れ、曇りなどがある。通常、快晴、晴れ、曇りの順に、日射量Ｓが多い方から少ない方へ変化する。他の例として、天気の状態の代わりに、日射量を調整するために乗算する割合を示す値（０以上１以下の値）が用いられてもよい。
【００５８】
また、損失係数Ｈは、例えば、太陽光発電モジュールの温度を用いて、計算などにより決定される。
また、太陽方位は、例えば、太陽高度、太陽光発電モジュールが設置された場所の緯度、太陽光発電モジュールが設置された場所の経度、日時を用いて、計算などにより決定されてもよい。ここで、太陽高度は、例えば、太陽光発電モジュールが設置された場所の緯度、太陽光発電モジュールが設置された場所の経度、日時を用いて、計算などにより決定される。
【００５９】
なお、モジュール状態情報、発電量情報、変換条件情報としては、それぞれ、様々な情報が用いられてもよい。
例えば、変換条件情報の一部または全部は、モジュール状態情報に含められてもよい。
また、例えば、変換条件情報の一部または全部は、発電量情報に含められてもよい。
【００６０】
［モジュール状態情報と発電量情報との変換］
情報処理装置２０１において、変換部２２２は、モジュール状態情報と発電量情報とのうちの一方から他方への変換を行う。当該変換には、式（１）あるいは他の所定の変換式が用いられてもよい。
【００６１】
＜発電量情報からモジュール状態情報への変換＞
モジュール状態情報算出部２３１は、情報取得部２２１により取得された発電量情報に基づいて、情報取得部２２１により取得された変換条件情報を用いて、モジュール状態情報を算出する。
なお、本実施形態では、モジュール状態情報算出部２３１により算出されるモジュール状態情報は、実際の情報と一致する場合もあり、あるいは、実際の情報と一致しない場合もあり得ることから、仮想的なモジュール状態情報と捉えることもできる。
また、モジュール状態情報算出部２３１により用いられる発電量情報および変換条件情報に含まれる任意の情報は、それぞれ、例えば、実際の情報が用いられてもよく、あるいは、実際とは異なる可能性がある情報が用いられてもよい。実際とは異なる可能性がある情報として、例えば、発電量情報算出部２３２により算出された情報（仮想的な情報）、あるいは、算出のために想定された情報が用いられてもよい。
【００６２】
本実施形態では、情報取得部２２１は、発電量情報として、太陽光発電モジュールによる発電量の情報を取得する。
また、本実施形態では、情報取得部２２１は、変換条件情報として、当該太陽光発電モジュールが設置された場所の緯度の情報、当該太陽光発電モジュールが設置された場所の経度の情報、日時の情報を取得する。当該日時の情報として、当該発電量の情報に相当する発電量が当該太陽光発電モジュールにより得られたときの日時の情報が用いられる。
そして、モジュール状態情報算出部２３１は、これらの情報に基づいて、モジュール状態情報として、当該太陽光発電モジュールの方位の情報、当該太陽光発電モジュールの角度の情報、当該太陽光発電モジュールの容量の情報を算出する。
【００６３】
ここで、発電量の情報は、任意の手法で、取得されてもよい。例えば、発電量の情報は、ユーザによる手動の操作で情報処理装置２０１に入力されて情報取得部２２１により取得されてもよく、あるいは、自動的な処理により情報処理装置２０１に入力されて情報取得部２２１により取得されてもよい。
具体例として、図１の例では、一例として、パワーコンディショナー３２から分電盤３４に流れる電力の量（発電量に相当する。）を測定することで、太陽光発電モジュール２１による発電量の情報を測定することができる。当該発電量の情報は、例えば、数値、あるいは、グラフの情報が用いられてもよい。発電量を測定する機器としては、任意の機器が用いられてもよく、例えば、スマートメーターなどが用いられてもよい。図１の例では、他の例として、パワーコンディショナー３２あるいはモニター３３において電力の量を測定することで、太陽光発電モジュール２１による発電量の情報を測定することも可能である。
他の具体例として、図２の例では、一例として、パワーコンディショナー１３２から外部設備１０２に流れる電力の量（発電量に相当する。）を電力量メーター１３５により測定することで、太陽光発電モジュール１２１による発電量の情報を測定することができる。図２の例では、他の例として、パワーコンディショナー１３２あるいはモニター１３３において電力の量を測定することで、太陽光発電モジュール１２１による発電量の情報を測定することも可能である。
【００６４】
また、太陽光発電モジュールが設置された場所の緯度の情報、および当該太陽光発電モジュールが設置された場所の経度の情報は、任意の手法で、取得されてもよい。例えば、緯度および経度の情報は、ユーザによる手動の操作で情報処理装置２０１に入力されて情報取得部２２１により取得されてもよく、あるいは、自動的な処理により情報処理装置２０１に入力されて情報取得部２２１により取得されてもよい。
具体例として、図１および図２の例では、家屋１、１０１の位置が把握されている場合に、当該位置の緯度および経度が、太陽光発電モジュール２１、１２１の緯度および経度として用いられてもよい。家屋１、１０１の位置として、例えば、住所が用いられてもよい。
他の具体例として、図１および図２の例では、太陽光発電モジュール２１、１２１の位置が把握されている場合に、当該位置の緯度および経度が、当該太陽光発電モジュール２１、１２１の緯度および経度として用いられてもよい。
ここで、家屋１、１０１の位置あるいは太陽光発電モジュール２１、１２１の位置は、例えば、あらかじめ把握されていてもよく、あるいは、家屋１、１０１または太陽光発電モジュール２１、１２１に設けられたＧＰＳ（Ｇｌｏｂａｌ  Ｐｏｓｉｔｉｏｎｉｎｇ  Ｓｙｓｔｅｍ）の機能により測定されてもよい。
他の具体例として、図１および図２の例では、太陽光発電モジュール２１、１２１の緯度および経度があらかじめ把握されていてもよい。
【００６５】
また、日時の情報は、任意の手法で、取得されてもよい。例えば、日時の情報は、ユーザによる手動の操作で情報処理装置２０１に入力されて情報取得部２２１により取得されてもよく、あるいは、自動的な処理により情報処理装置２０１に入力されて情報取得部２２１により取得されてもよい。
具体例として、図１および図２の例では、太陽光発電モジュール２１、１２１による発電量の情報が測定されるときに、当該発電量が発生した日時の情報が当該発電量の情報に付加されてもよい。この場合、発電量の情報に、日時の情報が含まれてもよい。
【００６６】
モジュール状態情報算出部２３１は、モジュール状態情報を算出する際に、例えば、太陽光発電モジュールの方位、角度、容量の組み合わせとして、１種類の組み合わせを用いてもよく、あるいは、２種類以上の組み合わせを用いてもよい。
一例として、モジュール状態情報算出部２３１は、モジュール状態情報を算出する際に、太陽光発電モジュールの方位、角度、容量の１種類の組み合わせを用いる場合、当該１種類の組み合わせの情報が発電量情報および変換条件情報に合うように、当該１種類の組み合わせの情報を算出する。
他の例として、モジュール状態情報算出部２３１は、モジュール状態情報を算出する際に、太陽光発電モジュールの方位、角度、容量の２種類以上の組み合わせを用いる場合、当該２種類以上の組み合わせの情報を総合した結果が発電量情報および変換条件情報に合うように、当該２種類以上の組み合わせの情報を算出する。
【００６７】
具体例として、太陽光発電モジュールの方位、角度、容量の１種類の組み合わせは、１つの太陽光発電モジュールが存在するとして、当該太陽光発電モジュールの方位、当該太陽光発電モジュールの角度、当該太陽光発電モジュールの容量の組み合わせである。
【００６８】
他の具体例として、太陽光発電モジュールの方位、角度、容量の２種類以上の組み合わせは、２つ以上の太陽光発電モジュールが存在するとして、それぞれの太陽光発電モジュールごとの方位、角度、容量の組み合わせが当該太陽光発電モジュールの数だけあるものである。この場合、それぞれの太陽光発電モジュールごとの方位、角度、容量の組み合わせが当該太陽光発電モジュールの数だけ総合された結果が、発電量情報および変換条件情報に合わせられる。
より詳しい例としては、太陽光発電モジュールの方位、角度、容量の２種類の組み合わせは、２つの太陽光発電モジュール（第１の太陽光発電モジュールおよび第２の太陽光発電モジュール）が存在するとして、第１の太陽光発電モジュールの方位、角度、容量の組み合わせがあるとともに、第２の太陽光発電モジュールの方位、角度、容量の組み合わせがあるものである。
【００６９】
ここで、モジュール状態情報算出部２３１が、モジュール状態情報を算出する際に用いる太陽光発電モジュールの方位、角度、容量の組み合わせの数は、例えば、あらかじめ情報処理装置２０１に設定されていてもよく、あるいは、ユーザによる手動の操作で情報処理装置２０１に入力されて指定されてもよく、あるいは、モジュール状態情報算出部２３１が発電量情報および変換条件情報のうちの一方または両方に基づいて決定してもよい。
モジュール状態情報算出部２３１がモジュール状態情報を算出する際に用いる太陽光発電モジュールの方位、角度、容量の組み合わせの数を決定する手法としては、任意の手法が用いられてもよく、例えば、フィッティング処理などを使用して発電量の情報に最も合うように当該組み合わせの数を決定する手法、あるいは、時系列のグラフで表される発電量の情報に含まれるピークの数と同じ数に、当該組み合わせの数を決定する手法が用いられてもよい。
【００７０】
＜モジュール状態情報から発電量情報への変換＞
発電量情報算出部２３２は、情報取得部２２１により取得されたモジュール状態情報に基づいて、情報取得部２２１により取得された変換条件情報を用いて、発電量情報を算出する。
なお、本実施形態では、発電量情報算出部２３２により算出される発電量情報は、実際の情報と一致する場合もあり、あるいは、実際の情報と一致しない場合もあり得ることから、仮想的な発電量情報と捉えることもできる。
また、発電量情報算出部２３２により用いられるモジュール状態情報および変換条件情報に含まれる任意の情報は、それぞれ、例えば、実際の情報が用いられてもよく、あるいは、実際とは異なる可能性がある情報が用いられてもよい。実際とは異なる可能性がある情報として、例えば、モジュール状態情報算出部２３１により算出された情報（仮想的な情報）、あるいは、算出のために想定された情報が用いられてもよい。
【００７１】
本実施形態では、情報取得部２２１は、モジュール状態情報として、太陽光発電モジュールの方位の情報、当該太陽光発電モジュールの角度の情報、当該太陽光発電モジュールの容量の情報を取得する。
また、本実施形態では、情報取得部２２１は、変換条件情報として、当該太陽光発電モジュールが設置された場所の緯度の情報、当該太陽光発電モジュールが設置された場所の経度の情報、日時の情報を取得する。当該日時の情報として、変換結果（算出結果）として希望する当該太陽光発電モジュールの発電量の情報に相当する発電量が当該太陽光発電モジュールにより得られるときの日時の情報が用いられる。つまり、当該日時に対応する発電量の情報が変換結果（算出結果）として得られることになる。
そして、発電量情報算出部２３２は、これらの情報に基づいて、発電量情報として、当該太陽光発電モジュールによる発電量の情報を算出する。
【００７２】
ここで、太陽光発電モジュールの方位の情報、当該太陽光発電モジュールの角度の情報、当該太陽光発電モジュールの容量の情報は、任意の手法で、取得されてもよい。例えば、太陽光発電モジュールの方位の情報、当該太陽光発電モジュールの角度の情報、当該太陽光発電モジュールの容量の情報は、それぞれ、ユーザによる手動の操作で情報処理装置２０１に入力されて情報取得部２２１により取得されてもよく、あるいは、自動的な処理により情報処理装置２０１に入力されて情報取得部２２１により取得されてもよい。
【００７３】
発電量情報算出部２３２は、発電量情報を算出する際に、例えば、太陽光発電モジュールの方位、角度、容量の組み合わせとして、１種類の組み合わせを用いてもよく、あるいは、２種類以上の組み合わせを用いてもよい。
一例として、発電量情報算出部２３２は、発電量情報を算出する際に、太陽光発電モジュールの方位、角度、容量の１種類の組み合わせを用いる場合、当該１種類の組み合わせの情報および変換条件情報に発電量情報が合うように、発電量情報を算出する。
他の例として、発電量情報算出部２３２は、発電量情報を算出する際に、太陽光発電モジュールの方位、角度、容量の２種類以上の組み合わせを用いる場合、当該２種類以上の組み合わせの情報および変換条件情報（例えば、当該２種類以上の組み合わせについて総合した結果）に発電量情報が合うように、発電量情報を算出する。
【００７４】
また、太陽光発電モジュールが設置された場所の緯度の情報、および当該太陽光発電モジュールが設置された場所の経度の情報は、任意の手法で、取得されてもよい。例えば、緯度および経度の情報は、ユーザによる手動の操作で情報処理装置２０１に入力されて情報取得部２２１により取得されてもよく、あるいは、自動的な処理により情報処理装置２０１に入力されて情報取得部２２１により取得されてもよい。
【００７５】
また、日時の情報は、任意の手法で、取得されてもよい。例えば、日時の情報は、ユーザによる手動の操作で情報処理装置２０１に入力されて情報取得部２２１により取得されてもよく、あるいは、自動的な処理により情報処理装置２０１に入力されて情報取得部２２１により取得されてもよい。
具体例として、図１および図２の例では、任意の日時の情報が指定されてもよい。一例として、太陽光発電モジュール２１、１２１による発電量の情報が測定されて、測定結果として得られた発電量情報と発電量情報算出部２３２による算出結果として得られた発電量情報とが比較される場合に、測定結果の発電量が発生した日時（または、将来において測定対象の発電量が発生する日時）の情報が指定されてもよい。つまり、太陽光発電モジュール２１、１２１による発電量の情報が実際に測定される日時（測定対象の発電量の発生日時）と、実際の測定結果と比較される発電量の情報を発電量情報算出部２３２により算出するときに用いられる日時（発電量情報算出部２３２により用いられる日時）とが、一致させられる。
【００７６】
［モジュール状態情報と発電量情報との変換のより詳しい具体例］
図４は、本発明の実施形態に係る発電量の特性１０１１〜１０１３の例を示す図である。
図４に示されるグラフでは、横軸は時刻［時］を表わしており、縦軸は発電量［ｋＷｈ］を表わしている。このグラフでは、ある一日における４時〜２０時の時間帯辺りの特性を示してある。
また、３つの発電量の特性１０１１〜１０１３を示してある。
【００７７】
発電量の特性１０１１は、太陽光発電モジュール（例えば、太陽光パネルの面）が東（真東）に向いている場合に当該太陽光発電モジュールにより発電される発電量の一例を示す。この場合、変換部２２２では、例えば、図４に示される発電量の特性１０１１に基づいて太陽光発電モジュールの方位の情報を東（真東）とすること、日時の情報を図４に示されるグラフに該当する日時とすること、発電量の情報を図４に示される発電量の特性１０１１とすること、が可能である。
ここで、太陽光発電モジュールの方位の情報は、例えば、発電量の特性１０１１のピークが発生する時刻［時］に基づいて、情報処理装置２０１により判定される。なお、当該判定は、ユーザにより行われてもよい。
【００７８】
＜発電量情報からモジュール状態情報への変換＞
図４の例において、モジュール状態情報算出部２３１は、太陽光発電モジュールについて、発電量情報（発電量の情報）および変換条件情報（緯度の情報、経度の情報、日時の情報）に基づいて、モジュール状態情報（方位の情報、角度の情報、容量の情報）を算出する。
この場合に、モジュール状態情報算出部２３１は、モジュール状態情報のうちの一部の情報（ここでは、方位の情報）が既に判定されている場合には、残りの情報を算出する。
【００７９】
＜モジュール状態情報から発電量情報への変換＞
逆に、発電量情報算出部２３２は、太陽光発電モジュールについて、モジュール状態情報（方位の情報、角度の情報、容量の情報）および変換条件情報（緯度の情報、経度の情報、日時の情報）に基づいて、図４に示される特性１０１１で表される発電量情報（発電量の情報）を算出することが可能である。
この場合に、発電量情報算出部２３２は、モジュール状態情報のうちの一部の情報（ここでは、東という方位の情報）が既に判定されている場合には、当該情報を用いてもよい。
【００８０】
なお、発電量の特性１０１２は、太陽光発電モジュール（例えば、太陽光パネルの面）が南（真南）に向いている場合に当該太陽光発電モジュールにより発電される発電量の一例を示す。
また、発電量の特性１０１３は、太陽光発電モジュール（例えば、太陽光パネルの面）が西（真西）に向いている場合に当該太陽光発電モジュールにより発電される発電量の一例を示す。
南に対応する発電量の特性１０１２および西に対応する発電量の特性１０１３を用いる変換についても、東に対応する発電量の特性１０１１を用いる変換の場合と同様である。
【００８１】
図５は、本発明の実施形態に係る発電量の特性１１１１〜１１１２の例を示す図である。
図５に示されるグラフでは、横軸は時刻［時］を表わしており、縦軸は発電量［ｋＷｈ］を表わしている。このグラフでは、ある一日における４時〜２０時の時間帯辺りの特性を示してある。
また、２つの発電量の特性１１１１〜１１１２を示してある。
発電量の特性１１１１は、太陽光発電モジュール（例えば、太陽光パネルの面）が東（真東）に向いている場合に当該太陽光発電モジュールにより発電される発電量の一例を示す。
また、発電量の特性１１１２は、太陽光発電モジュール（例えば、太陽光パネルの面）が西（真西）に向いている場合に当該太陽光発電モジュールにより発電される発電量の一例を示す。
【００８２】
＜発電量情報からモジュール状態情報への変換＞
図５の例において、モジュール状態情報算出部２３１は、太陽光発電モジュールについて、東に対応した特性１１１１で表される発電量情報（発電量の情報）および変換条件情報（緯度の情報、経度の情報、日時の情報）に基づいて、東に対応したモジュール状態情報（方位の情報、角度の情報、容量の情報）を算出することができる。
また、図５の例において、モジュール状態情報算出部２３１は、太陽光発電モジュールについて、西に対応した特性１１１２で表される発電量情報（発電量の情報）および変換条件情報（緯度の情報、経度の情報、日時の情報）に基づいて、西に対応したモジュール状態情報（方位の情報、角度の情報、容量の情報）を算出することができる。
【００８３】
＜モジュール状態情報から発電量情報への変換＞
逆に、発電量情報算出部２３２は、太陽光発電モジュールについて、モジュール状態情報（方位の情報、角度の情報、容量の情報）および変換条件情報（緯度の情報、経度の情報、日時の情報）に基づいて、図５に示される特性１１１１で表される発電量情報（発電量の情報）を算出することが可能である。
この場合に、発電量情報算出部２３２は、モジュール状態情報のうちの一部の情報（ここでは、東という方位の情報）が既に判定されている場合には、当該情報を用いてもよい。
【００８４】
なお、西に対応する発電量の特性１１１２を用いる変換についても、東に対応する発電量の特性１１１１を用いる変換の場合と同様である。
【００８５】
図６は、本発明の実施形態に係る発電量の特性１２１１〜１２１２、１２２１の例を示す図である。
図６に示されるグラフでは、横軸は時刻［時］を表わしており、縦軸は発電量［ｋＷｈ］を表わしている。このグラフでは、ある一日における４時〜２０時の時間帯辺りの特性を示してある。
また、３つの発電量の特性１２１１〜１２１２、１２２１を示してある。
発電量の特性１２１１は、太陽光発電モジュール（例えば、太陽光パネルの面）が東（真東）に向いている場合に当該太陽光発電モジュールにより発電される発電量の一例を示す。
また、発電量の特性１２１２は、太陽光発電モジュール（例えば、太陽光パネルの面）が西（真西）に向いている場合に当該太陽光発電モジュールにより発電される発電量の一例を示す。
また、発電量の特性１２２１は、太陽光発電モジュール（例えば、太陽光パネルの面）が南（真南）に向いている場合に当該太陽光発電モジュールにより発電される発電量の一例を示す。
【００８６】
ここで、図６の例では、南に対応した発電量の特性１２２１は、東に対応した発電量の特性１２１１と、西に対応した発電量の特性１２１２とを総合した結果の特性に相当する。当該総合としては、例えば、縦軸の値（発電量）の加算が用いられている。図６の例では、東に対応した発電量の特性１２１１と、西に対応した発電量の特性１２１２とでは、横軸の１２時を基準として対称（図６において、左右対称）となっており、これらを総合した結果である発電量の特性１２２１は横軸の１２時を基準として対称（図６において、左右対称）となっている。
【００８７】
＜発電量情報からモジュール状態情報への変換＞
南に対応した発電量の特性１２２１で表される発電量の情報からモジュール状態情報への変換の手法を示す。
一例として、図６の例において、モジュール状態情報算出部２３１は、太陽光発電モジュールについて、南に対応した特性１２２１で表される発電量情報（発電量の情報）および変換条件情報（緯度の情報、経度の情報、日時の情報）に基づいて、方位の情報を南の方位の情報としたモジュール状態情報（方位の情報、角度の情報、容量の情報）を算出することができる。
【００８８】
他の例として、図６の例において、モジュール状態情報算出部２３１は、太陽光発電モジュールについて、南に対応した特性１２２１で表される発電量情報（発電量の情報）および変換条件情報（緯度の情報、経度の情報、日時の情報）に基づいて、方位の情報を東の方位の情報としたモジュール状態情報（方位の情報、角度の情報、容量の情報）および方位の情報を西の方位の情報としたモジュール状態情報（方位の情報、角度の情報、容量の情報）を算出することができる。この場合、モジュール状態情報算出部２３１は、当該太陽光発電モジュールに、東の方位に設置された太陽光発電モジュールと、西の方位に設置された別の太陽光発電モジュールが含まれると想定している。つまり、これら方位が異なる２つの太陽光発電モジュールによる発電量が総合された結果が南に対応した特性１２２１に相当すると想定している。
【００８９】
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
図６の例では、発電量の特性１２２１が南に対応しており、例えば、東に対応する太陽光発電モジュールと西に対応する別の太陽光発電モジュールとで、角度の情報および容量の情報が同じであると想定されてもよい。
【００９０】
＜モジュール状態情報から発電量情報への変換＞
モジュール状態情報から南に対応した発電量の特性１２２１で表される発電量の情報への変換の手法を示す。
一例として、発電量情報算出部２３２は、太陽光発電モジュールについて、方位の情報を南の方位の情報としたモジュール状態情報（方位の情報、角度の情報、容量の情報）および変換条件情報（緯度の情報、経度の情報、日時の情報）に基づいて、図６に示される南に対応した特性１２２１で表される発電量情報（発電量の情報）を算出する。
【００９１】
他の例として、発電量情報算出部２３２は、太陽光発電モジュールについて、方位の情報を東の方位の情報としたモジュール状態情報（方位の情報、角度の情報、容量の情報）および方位の情報を西の方位の情報としたモジュール状態情報（方位の情報、角度の情報、容量の情報）と変換条件情報（緯度の情報、経度の情報、日時の情報）に基づいて、図６に示される南に対応した特性１２２１で表される発電量情報（発電量の情報）を算出する。この場合、発電量情報算出部２３２は、当該太陽光発電モジュールに、東の方位に設置された太陽光発電モジュールと、西の方位に設置された別の太陽光発電モジュールが含まれると想定している。つまり、これら方位が異なる２つの太陽光発電モジュールによる発電量が総合された結果が南に対応した特性１２２１に相当することになる。
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
【００９２】
図７は、本発明の実施形態に係る発電量の特性１３１１の例を示す図である。
図７に示されるグラフでは、横軸は時刻［時］を表わしており、縦軸は発電量［ｋＷｈ］を表わしている。このグラフでは、ある一日における４時〜２０時の時間帯辺りの特性を示してある。
また、１つの発電量の特性１３１１を示してある。
ここで、図７の例では、発電量の特性１３１１は、２つのピークを有している。
図７の例では、発電量の特性１３１１は、横軸の１２時を基準として対称（図７において、左右対称）となっている。
【００９３】
＜発電量情報からモジュール状態情報への変換＞
発電量の特性１３１１で表される発電量の情報からモジュール状態情報への変換の手法を示す。
一例として、図７の例において、モジュール状態情報算出部２３１は、太陽光発電モジュールについて、特性１３１１で表される発電量情報（発電量の情報）および変換条件情報（緯度の情報、経度の情報、日時の情報）に基づいて、方位の情報を２つのピークの中点に対応する方位（図７の例では、例えば、南の方位）の情報としたモジュール状態情報（方位の情報、角度の情報、容量の情報）を算出することができる。
なお、この場合、１つの方位に対応するモジュール状態情報が用いられることから、２つのピークが厳密には再現されない可能性があるが、その場合、近似的に再現されるようにする。一例として、モジュール状態情報算出部２３１は、算出結果となるモジュール状態情報を用いた場合における発電量の合計（発電量の特性と時刻を表す横軸とで囲まれる部分の面積）が、特性１３１１で表される発電量の合計（発電量の特性１３１１と時刻を表す横軸とで囲まれる部分の面積）と一致または近似するように、当該モジュール状態情報を算出する。
【００９４】
他の例として、図７の例において、モジュール状態情報算出部２３１は、太陽光発電モジュールについて、特性１３１１で表される発電量情報（発電量の情報）および変換条件情報（緯度の情報、経度の情報、日時の情報）に基づいて、方位の情報を一方のピークに対応する方位（図７の例では、例えば、東の方位）の情報としたモジュール状態情報（方位の情報、角度の情報、容量の情報）および方位の情報を他方のピークに対応する方位（図７の例では、例えば、西の方位）の情報としたモジュール状態情報（方位の情報、角度の情報、容量の情報）を算出することができる。この場合、モジュール状態情報算出部２３１は、当該太陽光発電モジュールに、一方のピークに対応する方位に設置された太陽光発電モジュールと、他方のピークに対応する方位に設置された別の太陽光発電モジュールが含まれると想定している。つまり、これら方位が異なる２つの太陽光発電モジュールによる発電量が総合された結果が特性１３１１に相当すると想定している。
【００９５】
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
図７の例では、発電量の特性１３１１が２つのピークを有しており時刻の向きに関して対称の形状を有しており、例えば、一方のピークに対応する太陽光発電モジュールと他方のピークに対応する別の太陽光発電モジュールとで、角度の情報および容量の情報が同じであると想定されてもよい。
【００９６】
＜モジュール状態情報から発電量情報への変換＞
モジュール状態情報から発電量の特性１３１１で表される発電量の情報への変換の手法を示す。
一例として、発電量情報算出部２３２は、太陽光発電モジュールについて、方位の情報を第１の方位（図７の例では、例えば、東の方位）の情報としたモジュール状態情報（方位の情報、角度の情報、容量の情報）および方位の情報を第２の方位（図７の例では、例えば、西の方位）の情報としたモジュール状態情報（方位の情報、角度の情報、容量の情報）と変換条件情報（緯度の情報、経度の情報、日時の情報）に基づいて、図７に示される特性１３１１で表される発電量情報（発電量の情報）を算出する。この場合、発電量情報算出部２３２は、当該太陽光発電モジュールに、第１の方位に設置された太陽光発電モジュールと、第２の方位に設置された別の太陽光発電モジュールが含まれると想定している。つまり、これら方位が異なる２つの太陽光発電モジュールによる発電量が総合された結果が特性１３１１に相当することになる。
【００９７】
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
【００９８】
図８は、本発明の実施形態に係る発電量の特性１４１１の例を示す図である。
図８に示されるグラフでは、横軸は時刻［時］を表わしており、縦軸は発電量［ｋＷｈ］を表わしている。このグラフでは、ある一日における４時〜２０時の時間帯辺りの特性を示してある。
また、１つの発電量の特性１４１１を示してある。
ここで、図８の例では、発電量の特性１４１１は、２つのピークを有している。
図８の例では、発電量の特性１４１１は、２つのピークについて非対称（図８において、左右非対称）となっている。
【００９９】
＜発電量情報からモジュール状態情報への変換＞
発電量の特性１４１１で表される発電量の情報からモジュール状態情報への変換の手法を示す。
一例として、図８の例において、モジュール状態情報算出部２３１は、太陽光発電モジュールについて、特性１４１１で表される発電量情報（発電量の情報）および変換条件情報（緯度の情報、経度の情報、日時の情報）に基づいて、方位の情報を２つのピークの中点に対応する方位（図８の例では、例えば、南の方位）の情報としたモジュール状態情報（方位の情報、角度の情報、容量の情報）を算出することができる。
なお、この場合、１つの方位に対応するモジュール状態情報が用いられることから、２つのピークが厳密には再現されない可能性があるが、その場合、近似的に再現されるようにする。一例として、モジュール状態情報算出部２３１は、算出結果となるモジュール状態情報を用いた場合における発電量の合計（発電量の特性と時刻を表す横軸とで囲まれる部分の面積）が、特性１４１１で表される発電量の合計（発電量の特性１４１１と時刻を表す横軸とで囲まれる部分の面積）と一致または近似するように、当該モジュール状態情報を算出する。
【０１００】
他の例として、図８の例において、モジュール状態情報算出部２３１は、太陽光発電モジュールについて、特性１４１１で表される発電量情報（発電量の情報）および変換条件情報（緯度の情報、経度の情報、日時の情報）に基づいて、方位の情報を一方のピークに対応する方位（図８の例では、例えば、東の方位）の情報としたモジュール状態情報（方位の情報、角度の情報、容量の情報）および方位の情報を他方のピークに対応する方位（図８の例では、例えば、西の方位）の情報としたモジュール状態情報（方位の情報、角度の情報、容量の情報）を算出することができる。この場合、モジュール状態情報算出部２３１は、当該太陽光発電モジュールに、一方のピークに対応する方位に設置された太陽光発電モジュールと、他方のピークに対応する方位に設置された別の太陽光発電モジュールが含まれると想定している。つまり、これら方位が異なる２つの太陽光発電モジュールによる発電量が総合された結果が特性１４１１に相当すると想定している。
【０１０１】
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
図８の例では、発電量の特性１４１１が２つのピークを有しており時刻の向きに関して非対称の形状を有しており、例えば、一方のピークに対応する太陽光発電モジュールと他方のピークに対応する別の太陽光発電モジュールとで、角度の情報および容量の情報のうちの一方または両方が異なると想定されてもよい。
【０１０２】
＜モジュール状態情報から発電量情報への変換＞
モジュール状態情報から発電量の特性１４１１で表される発電量の情報への変換の手法を示す。
一例として、発電量情報算出部２３２は、太陽光発電モジュールについて、方位の情報を第１の方位（図８の例では、例えば、東の方位）の情報としたモジュール状態情報（方位の情報、角度の情報、容量の情報）および方位の情報を第２の方位（図８の例では、例えば、西の方位）の情報としたモジュール状態情報（方位の情報、角度の情報、容量の情報）と変換条件情報（緯度の情報、経度の情報、日時の情報）に基づいて、図８に示される特性１４１１で表される発電量情報（発電量の情報）を算出する。この場合、発電量情報算出部２３２は、当該太陽光発電モジュールに、第１の方位に設置された太陽光発電モジュールと、第２の方位に設置された別の太陽光発電モジュールが含まれると想定している。つまり、これら方位が異なる２つの太陽光発電モジュールによる発電量が総合された結果が特性１４１１に相当することになる。
【０１０３】
なお、この場合、これら方位が異なる２つの太陽光発電モジュールについて、緯度の情報および経度の情報としては、例えば、それぞれに対応した異なる値の情報が用いられてもよく、あるいは、およその値として、同一の値が用いられてもよい。一般に、緯度の情報あるいは経度の情報が多少ずれても、誤差は少ないと考えられる。
また、これら方位が異なる２つの太陽光発電モジュールについて、角度の情報および容量の情報は、例えば、それぞれの太陽光発電モジュールに対応した値の情報が用いられてもよい。
【０１０４】
＜図７の例および図８の例に関して＞
ここで、例えば、１つの発電量情報について、複数の異なる太陽光発電モジュールの発電量の合計値が当該発電量情報に相当すると想定した場合には、モジュール状態情報算出部２３１は、それぞれの個別の太陽光発電モジュールについて正確なモジュール状態情報を求めることができない（つまり、解が複数通りある）場合がある。それぞれの太陽光発電モジュールのモジュール状態情報は、例えば、当該１つの発電量情報が有するピーク（例えば、複数のピーク）の時刻に基づいて仮想的に設定されてもよい。
一例として、方位が東（真東）である太陽光発電モジュールと方位が西（真西）である太陽光発電モジュールに２分割されている全体的な太陽光発電モジュールを想定した場合、当該全体的な太陽光発電モジュールから出力される電力量（全体的な発電量）は、当該全体的な太陽光発電モジュールの容量の合計値と比べて小さい容量であって、方位が南またはほぼ南（真南またはほぼ真南）である１つの太陽光発電モジュールから出力される電力量（発電量）と同等となり得る。
【０１０５】
１つの発電量情報に発電量が同じまたは異なる複数のピークが存在する場合、例えば、それぞれのピークの時刻に基づいて、当該１つの発電量情報の発電量を仮想的に複数に分割し、分割されたそれぞれの発電量ごとに異なるモジュール状態情報を求めることが可能である。
また、１つの発電量情報に発電量が同じまたは異なる複数のピークが存在する場合、例えば、任意の１つのピークの時刻に基づいて１つのモジュール状態情報を求めることが可能である。この場合、当該１つのピークの発電量が、他のピークの発電量よりも大きいことが好ましい一例であると考えられる。つまり、複数のピークのうちで最も大きい発電量を有する１つのピークに基づいて１つのモジュール状態情報を求めることが好ましい一例であると考えられる。あるいは、ｍ（ｍは３以上の整数）個のピークのうちで、すべてではない任意の２つ以上のピーク（例えば、発電量が大きい方のピーク）に基づいて当該２つ以上のモジュール状態情報が求められてもよい。
また、１つの発電量情報に発電量が同じまたは異なる複数のピークが存在する場合、例えば、いずれのピークも存在しない時刻に基づいて１つのモジュール状態情報を求めることが可能である。当該時刻としては、例えば、複数のピークの時刻を各ピークの発電量で重み付けをして平均化した結果（重み付け平均値）に相当する時刻が用いられてもよい。
【０１０６】
［太陽光発電モジュールの故障判定］
本実施形態では、故障判定部２４１は、発電量情報に基づいて、故障に関する判定を行う、あるいは、モジュール状態情報に基づいて、故障に関する判定を行う。太陽光発電モジュールの故障には、例えば、当該太陽光発電モジュールの一部または全部の破損、当該太陽光発電モジュールの一部または全部の経年劣化、あるいは、当該太陽光発電モジュールの一部または全部が任意の物体（例えば、植物の葉など）により覆われて実質的な容量が低下した状況が含まれてもよい。
【０１０７】
＜発電量情報に基づく故障判定＞
故障判定部２４１は、太陽光発電モジュールについて、発電量情報算出部２３２により算出された発電量の情報と、実際に測定された発電量の情報とを比較して、当該太陽光発電モジュールの故障の有無を判定する。
ここで、本実施形態では、発電量情報算出部２３２により算出された発電量の情報として、当該太陽光発電モジュールに故障が発生していないときのモジュール状態情報を用いて算出された発電量の情報が用いられる。また、発電量情報算出部２３２により算出された発電量の情報として、モジュール状態情報以外については、例えば、実際に測定された発電量の情報が得られた条件と同じ（または、類似する）条件を用いて算出された発電量の情報が用いられる。当該条件は、例えば、変換条件情報の条件である。このように算出された発電量の情報は、当該実際に測定された発電量の情報に関して、当該太陽光発電モジュールに故障が発生していないときの発電量の情報とみなすことが可能である。
【０１０８】
図９は、本発明の実施形態に係る太陽光発電モジュールの故障判定の例を説明するための図である。
図９に示されるグラフでは、横軸は時刻［時］を表わしており、縦軸は発電量［ｋＷｈ］を表わしている。このグラフでは、ある一日における４時〜２０時の時間帯辺りの特性を示してある。
また、２つの発電量の特性２０１１、２０１２を示してある。
【０１０９】
ここで、発電量の特性２０１１は、発電量情報算出部２３２により算出された発電量の情報であり、本例では、太陽光発電モジュールに故障が発生してない場合（正常な太陽光発電モジュールである場合）における発電量の情報とみなす。
また、発電量の特性２０１２は、当該太陽光発電モジュールについて実際に測定された発電量の情報であり、本例では、当該太陽光発電モジュールに故障が発生している状態で測定された発電量の情報であるとする。
【０１１０】
故障判定部２４１は、２つの特性２０１１、２０１２を比較して、これらの相違に基づいて、当該太陽光発電モジュールに故障が発生しているか否かを判定する。
一例として、故障判定部２４１は、２つの特性２０１１、２０１２の立ち上がり部２０２１について、特性２０１１（本例では、正常な特性）の立ち上がり時刻Ｔ１と比べて特性２０１２（本例では、故障判定対象の特性）の立ち上がり時刻Ｔ２が遅く、かつ、これらの時刻の差（Ｔ２−Ｔ１）が所定の閾値（立ち上がり判定用の閾値）を超えると判定した場合、当該太陽光発電モジュールに故障が発生していると判定する。一方、他の場合には、故障判定部２４１は、当該太陽光発電モジュールに故障が発生していないと判定する。
ここで、それぞれの特性２０１１、２０１２の立ち上がりの時点としては、例えば、発電量がゼロ（０）からゼロより大きい値に変化する時点が用いられる。それぞれの特性２０１１、２０１２について、当該時点の時刻が立ち上がり時刻Ｔ１、Ｔ２となる。
なお、立ち上がり時刻Ｔ１、Ｔ２としては、実用上で支障のない程度で、多少ずれた時点の時刻が用いられてもよい。例えば、それぞれの特性２０１１、２０１２の立ち上がりの時点として、発電量がゼロ（０）から変化してゼロより大きい所定の値になった時点が用いられてもよい。当該所定の値としては、任意の値が用いられてもよい。
また、立ち上がり判定用の閾値としては、任意の値が用いられてもよい。
【０１１１】
他の例として、故障判定部２４１は、２つの特性２０１１、２０１２の立ち下がり部２０２２について、特性２０１１（本例では、正常な特性）の立ち下がり時刻Ｔ１１と比べて特性２０１２（本例では、故障判定対象の特性）の立ち下がり時刻Ｔ１２が早く、かつ、これらの時刻の差（Ｔ１１−Ｔ１２）が所定の閾値（立ち下がり判定用の閾値）を超えると判定した場合、当該太陽光発電モジュールに故障が発生していると判定する。一方、他の場合には、故障判定部２４１は、当該太陽光発電モジュールに故障が発生していないと判定する。
ここで、それぞれの特性２０１１、２０１２の立ち下がりの時点としては、例えば、発電量がゼロ（０）より大きい値からゼロに変化する時点が用いられる。それぞれの特性２０１１、２０１２について、当該時点の時刻が立ち下がり時刻Ｔ１１、Ｔ１２となる。
なお、立ち下がり時刻Ｔ１１、Ｔ１２としては、実用上で支障のない程度で、多少ずれた時点の時刻が用いられてもよい。例えば、それぞれの特性２０１１、２０１２の立ち下がりの時点として、発電量がゼロ（０）より大きい値から変化して当該値より小さい所定の値になった時点が用いられてもよい。当該所定の値としては、任意の値が用いられてもよい。
また、立ち下がり判定用の閾値としては、任意の値が用いられてもよい。
また、立ち上がり判定用の閾値と、立ち下がり判定用の閾値としては、例えば、同一の値が用いられてもよく、あるいは、異なる値が用いられてもよい。
【０１１２】
ここで、太陽光発電モジュールでは、故障が発生すると、発電量が低下することから、故障が発生していない状態（正常な状態）と比べて、立ち上がりの時刻が遅くなり、立ち下がりの時刻が早くなる。
【０１１３】
図１０は、本発明の実施形態に係る太陽光発電モジュールの故障判定の例を説明するための図である。
図１０に示されるグラフでは、横軸は時刻［時］を表わしており、縦軸は発電量［ｋＷｈ］を表わしている。このグラフでは、ある一日における４時〜２０時の時間帯辺りの特性を示してある。
また、３つの発電量の特性２１１１〜２１１３を示してある。
【０１１４】
ここで、発電量の特性２１１１は、発電量情報算出部２３２により算出された発電量の情報であり、本例では、太陽光発電モジュールに故障が発生してない場合（正常な太陽光発電モジュールである場合）における発電量の情報とみなす。
また、発電量の特性２１１２は、発電量情報算出部２３２により算出された発電量の情報であり、本例では、発電量の劣化があるが、太陽光発電モジュールに故障が発生してないとみなす場合（正常な太陽光発電モジュールであるとみなす場合）における発電量の情報とする。
また、発電量の特性２１１３は、当該太陽光発電モジュールについて実際に測定された発電量の情報であり、本例では、発電量の劣化があり、当該太陽光発電モジュールに故障が発生している状態で測定された発電量の情報であるとする。
【０１１５】
故障判定部２４１は、特性２１１１と特性（図１０の例では、特性２１１２あるいは特性２１１３）とを比較して、これらの相違に基づいて、当該太陽光発電モジュールに故障が発生しているか否かを判定する。
一例として、故障判定部２４１は、２つの特性（図１０の例では、２つの特性２１１１、２１１２、あるいは、２つの特性２１１１、２１１３）のピークの発電量について、特性２１１１（本例では、正常な特性）の発電量と比べて特性（本例では、故障判定対象の特性であり、図１０の例では、特性２１１２あるいは特性２１１３）の発電量が小さく、かつ、これらの発電量の差が所定の閾値（発電量劣化判定用の閾値）を超えると判定した場合、当該太陽光発電モジュールに故障が発生していると判定する。一方、他の場合には、故障判定部２４１は、当該太陽光発電モジュールに故障が発生していないと判定する。
【０１１６】
図１０の例では、故障判定部２４１は、特性２１１１と特性２１１２との比較では、これらのピークの発電量の差（発電量の劣化量２１２１）が当該閾値を超えないことから、当該太陽光発電モジュールに故障が発生していないと判定する。
一方、図１０の例では、故障判定部２４１は、特性２１１１と特性２１１３との比較では、これらのピークの発電量の差（発電量の劣化量２１２２）が当該閾値を超えることから、当該太陽光発電モジュールに故障が発生していると判定する。
【０１１７】
ここで、本実施形態では、故障判定部２４１は、２つの特性のピークの発電量の差に基づいて故障の有無を判定したが、他の構成例として、故障判定部２４１は、２つの特性のピーク以外の箇所の発電量の差に基づいて故障の有無を判定してもよい。当該箇所としては、任意の箇所が用いられてもよい。
また、発電量劣化判定用の閾値としては、任意の値が用いられてもよい。
【０１１８】
なお、発電量の特性の立ち上がり時刻の差に基づく故障の判定と、発電量の特性の立ち下がり時刻の差に基づく故障の判定と、発電量の特性の発電量の差（発電量の劣化量）に基づく故障の判定は、例えば、それぞれ独立に行われてもよい。
他の構成例として、これら３つの判定のうちの任意の２つ以上の判定が組み合わされて、組み合わされた判定のすべてにおいて故障であることが判定された場合に、最終的な判定結果として故障があることが判定されてもよい。つまり、当該他の構成例では、組み合わされた判定のうちの少なくとも１つの判定において故障でないことが判定された場合には、最終的な判定結果として故障がないことが判定される。
他の構成例として、これら３つの判定のうちの任意の２つ以上の判定が組み合わされて、組み合わされた判定のうちの少なくとも１つにおいて故障であることが判定された場合に、最終的な判定結果として故障があることが判定されてもよい。
【０１１９】
なお、複数の太陽光発電モジュールについてまとめて故障の有無が判定された結果、故障があることが判定された場合には、いずれかの太陽光発電モジュールに故障が発生していることが把握される。
【０１２０】
＜モジュール状態情報に基づく故障判定＞
故障判定部２４１は、太陽光発電モジュールについて、モジュール状態情報算出部２３１により算出されたモジュール状態情報と、実際に測定されたモジュール状態情報とを比較して、これらの相違に基づいて、当該太陽光発電モジュールに故障が発生しているか否かを判定してもよい。
一例として、モジュール状態情報算出部２３１により算出されるモジュール状態情報を、太陽光発電モジュールに故障が発生してない場合（正常な太陽光発電モジュールである場合）におけるモジュール状態の情報であるとみなし、そして、当該太陽光発電モジュールについて実際に測定されたモジュール状態情報が、当該太陽光発電モジュールに故障が発生している状態で測定されたモジュール状態の情報であるか否かを判定することが可能である。
【０１２１】
［情報処理装置において行われる処理］
図１１は、本発明の実施形態に係る情報処理装置２０１において行われる処理の手順の一例を示すフローチャートである。
【０１２２】
（ステップＳ１）
情報処理装置２０１は、情報取得部２２１により、発電量情報および変換条件情報を取得する。
（ステップＳ２）
情報処理装置２０１は、取得された情報に基づいて、モジュール状態情報を算出する。
（ステップＳ３）
情報処理装置２０１は、制御部２１４による制御によって、算出されたモジュール状態情報、あるいは、当該モジュール状態情報に関する他の情報を出力部２１２により出力する。当該他の情報としては、例えば、当該モジュール状態情報の算出に用いられた情報（発電量情報および変換条件情報）のうちの一部または全部を含んでもよい。また、情報の出力としては、例えば、情報を画面に表示する出力が用いられてもよい。
【０１２３】
ここで、例えば、ステップＳ２とステップＳ３との間のタイミング、または、ステップＳ３より後のタイミングにおいて、判定部２２３（例えば、故障判定部２４１）による判定の処理が行われてもよい。また、例えば、出力される情報に、当該判定の処理の結果に関する情報を含んでもよい。
【０１２４】
図１２は、本発明の実施形態に係る情報処理装置２０１において行われる処理の手順の他の例を示すフローチャートである。
【０１２５】
（ステップＳ１１）
情報処理装置２０１は、情報取得部２２１により、モジュール状態情報および変換条件情報を取得する。
（ステップＳ１２）
情報処理装置２０１は、取得された情報に基づいて、発電量情報を算出する。
（ステップＳ１３）
情報処理装置２０１は、算出された発電量情報に基づいて、判定部２２３（例えば、故障判定部２４１）による判定の処理を行う。
（ステップＳ１４）
情報処理装置２０１は、制御部２１４による制御によって、算出された発電量情報、あるいは、当該発電量情報に関する他の情報を出力部２１２により出力する。当該他の情報としては、例えば、当該発電量情報の算出に用いられた情報（モジュール状態情報および変換条件情報）のうちの一部または全部を含んでもよい。また、当該他の情報としては、例えば、ステップＳ１３における判定の処理の結果に関する情報を含んでもよい。また、情報の出力としては、例えば、情報を画面に表示する出力が用いられてもよい。
【０１２６】
ここで、例えば、ステップＳ１３の処理（判定の処理）は、他のタイミングで行われてもよい。当該他のタイミングは、例えば、ステップＳ１４より後のタイミングであってもよい。
また、例えば、ステップＳ１３の処理（判定の処理）は、行われなくてもよい。この場合、図１２の例において、ステップＳ１３の処理は省略される。
【０１２７】
（第２実施形態）
［情報処理システム］
図１３は、本発明の実施形態に係る情報処理システム３０１の構成例を示す図である。
情報処理システム３０１は、情報処理装置３１１と、ｎ（ｎは２以上の整数）個の太陽光発電システム３１２−１〜３１２−ｎと、情報処理装置３１１と太陽光発電システム３１２−１〜３１２−ｎとを通信可能に接続するネットワーク３１３を備える。
なお、本実施形態では、ｎは２以上とするが、他の構成例として、ｎは１であってもよい。
【０１２８】
本実施形態では、情報処理装置３１１は、図３に示される情報処理装置２０１と同様な機能を備え、さらに、外部と通信する機能部（例えば、通信部）を備える。なお、当該通信部は、例えば、図３の例における入力部２１１の機能および出力部２１２の機能により実現されてもよい。
太陽光発電システム３１２−１〜３１２−ｎのうちの一部または全部は、図１あるいは図２に示されるような家庭用の太陽光発電システムＡ１、Ａ２であってもよい。また、太陽光発電システム３１２−１〜３１２−ｎのうちの一部または全部は、他の任意の太陽光発電システムであってもよい。太陽光発電システム３１２−１〜３１２−ｎは、外部と通信する機能部（例えば、通信部）を備える。
ネットワーク３１３は、任意のネットワークであってもよく、例えば、インターネットであってもよく、あるいは、専用のネットワークであってもよい。
【０１２９】
本実施形態では、情報処理装置３１１は、それぞれの太陽光発電システム３１２−１〜３１２−ｎに関する情報を、ネットワーク３１３を介して、取得する。
一例として、情報処理装置３１１は、それぞれの太陽光発電システム３１２−１〜３１２−ｎに対して、所定の情報を要求する信号を送信し、そして、それぞれの太陽光発電システム３１２−１〜３１２−ｎが、当該信号を受信したことに応じて、要求された情報を情報処理装置３１１に送信してもよい。
他の例として、それぞれの太陽光発電システム３１２−１〜３１２−ｎが、自発的に、所定の情報を情報処理装置３１１に送信し、そして、情報処理装置３１１が当該情報を受信してもよい。ここで、それぞれの太陽光発電システム３１２−１〜３１２−ｎが情報を送信するタイミングとしては、任意のタイミングが用いられてもよく、例えば、定期的なタイミングが用いられてもよい。
【０１３０】
ここで、太陽光発電システム３１２−１〜３１２−ｎから情報処理装置３１１に送信される情報としては、任意の情報が用いられてもよく、例えば、発電量情報、モジュール状態情報、変換条件情報に含まれる任意の情報が用いられてもよい。
一例として、当該情報として、それぞれの太陽光発電システム３１２−１〜３１２−ｎにおける発電量の情報が用いられてもよい。
【０１３１】
情報処理装置３１１は、それぞれの太陽光発電システム３１２−１〜３１２−ｎから受信された情報を用いて、モジュール状態情報と発電量情報との変換、あるいは、故障判定などを行うことができる。
【０１３２】
［実施形態のまとめ］
以上の実施形態では、情報処理装置（図３の例では情報処理装置２０１、図１３の例では情報処理装置３１１）において、変換部（図３の例では、変換部２２２）は、太陽光発電モジュール（図１、図２の例では、太陽光発電モジュール２１、１２１）の状態に関する情報であるモジュール状態情報と、当該太陽光発電モジュールの発電量に関する情報である発電量情報とのうちの一方の情報から他方の情報への変換を行う。以上の実施形態では、当該モジュール状態情報は、太陽光発電モジュールの方位、角度、あるいは容量のうちの１以上の情報を含む。
また、以上の実施形態では、変換部は、モジュール状態情報と発電量情報との変換の条件に関する情報である変換条件情報に基づいて、変換を行う。以上の実施形態では、当該変換条件情報は、太陽光発電モジュールの緯度または経度、日時、温度、天気、太陽方位、あるいは太陽高度のうちの１以上の情報を含む。
【０１３３】
また、以上の実施形態では、情報処理装置において、判定部（図３の例では、判定部２２３）は、変換部による変換の結果の情報に基づいて、所定の判定を行う。
また、以上の実施形態では、当該所定の判定は、太陽光発電モジュールの故障の有無の判定である。
【０１３４】
一例として、情報処理装置において、変換部は、発電量情報からモジュール状態情報への変換を行う。
これにより、例えば、変換部により得られたモジュール状態情報を、電力系統の設計などに利用することが可能となる。当該モジュール状態情報は、例えば、各家庭に設けられた太陽光発電モジュールのモジュール状態情報（想定されるモジュールの状態の情報）であってもよい。
また、変換部により得られたモジュール状態情報に基づいて、太陽光発電モジュールに関する故障などの判定が行われてもよい。
【０１３５】
他の例として、情報処理装置において、変換部は、モジュール状態情報から発電量情報への変換を行う。
これにより、例えば、変換部により得られた発電量情報を、電力系統における電力量の予測などに利用することが可能となる。当該発電量情報は、例えば、各家庭に設けられた太陽光発電モジュールによる発電量情報（想定される発電量の情報）であってもよい。
また、変換部により得られた発電量情報に基づいて、太陽光発電モジュールに関する故障などの判定が行われてもよい。
【０１３６】
一例として、以上の実施形態では、変換部は、モジュール状態情報から発電量情報への変換を行う。そして、判定部は、変換部により変換された結果の発電量情報と、太陽光発電モジュールについて（実際に）測定された発電量の情報とを比較して、立ち上がり、立ち下がり、あるいは発電量の劣化のうちの１以上に基づいて当該太陽光発電モジュールの故障の有無の判定を行う（例えば、図９の例、図１０の例）。
これにより、例えば、任意の日時あるいは任意の天気について、太陽光発電モジュールによる発電量の予測を精度良く行うことが可能である。なお、通常は、ある日における日射量（あるいは、発電量）に対して一定の係数を乗算しても、異なる日における日射量（あるいは、発電量）は求まらないが、以上の実施形態では、想定されるモジュール状態情報あるいは実際のモジュール状態情報を用いることで、日射量（あるいは、発電量）の予測の精度を向上させることができる。
【０１３７】
他の例として、従来では、複数の太陽光発電モジュール（例えば、多数の家庭の太陽光発電モジュール）が接続された配電線における発電量（総合値）の予測を行う場合に、個別の太陽光発電モジュールの方位などが把握されていないため、所定の容量に所定の補正係数を乗算することで発電量（総合値）を算出しており、算出される発電量（総合値）の精度が悪い場合があった。
これに対して、以上の実施形態では、個別の太陽光発電モジュールごとに想定される方位などのモジュール状態情報が把握されることから、個別の太陽光発電モジュールごとの発電量の予測の精度を向上させることができ、算出される発電量（総合値）の精度を向上させることが可能である。このため、発電量（総合値）の出力量の調整を行う場合においても、効率的な調整が可能となる。
なお、ここでは、複数の太陽光発電モジュールによる発電量（総合値）について説明したが、１つの太陽光発電モジュールによる発電量についても同様な効果が得られる。
【０１３８】
以上のように、以上の実施形態では、太陽光発電モジュールの状態および発電量に関する情報を有効に利用することを可能とすることができる。
【０１３９】
ここで、以上の実施形態に係る情報処理装置において行われる処理と同様な処理を行う方法（情報処理方法）を実施することも可能である。
ここで、このような処理は、例えば、装置により自動的に行われてもよく、あるいは、このような処理のうちの一部または全部が人により行われてもよい。
一例として、情報処理方法では、太陽光発電モジュールの状態に関する情報であるモジュール状態情報と、当該太陽光発電モジュールの発電量に関する情報である発電量情報とのうちの一方の情報から他方の情報への変換を行う。当該モジュール状態情報は、太陽光発電モジュールの方位、角度、あるいは容量のうちの１以上の情報を含む。
【０１４０】
また、以上の実施形態に係る情報処理装置において行われる処理と同様な処理を実行するプログラムを実施することも可能である。
一例として、プログラムは、太陽光発電モジュールの状態に関する情報であるモジュール状態情報と、当該太陽光発電モジュールの発電量に関する情報である発電量情報とのうちの一方の情報から他方の情報への変換を行うステップを、コンピュータ（例えば、情報処理装置を構成するコンピュータ）に実行させるためのプログラムである。当該モジュール状態情報は、太陽光発電モジュールの方位、角度、あるいは容量のうちの１以上の情報を含む。
【０１４１】
以上の実施形態では、実施形態に係る装置（例えば、情報処理装置２０１、３１１など）の機能を実現するためのプログラムをコンピュータ読み取り可能な記録媒体（記憶媒体）に記録（記憶）して、この記録媒体に記録されたプログラムをコンピュータシステムに読み込ませ、実行することにより、処理を行うことが可能である。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。
さらに、「コンピュータ読み取り可能な記録媒体」とは、インターネット等のネットワークあるいは電話回線等の通信回線を介してプログラムが送信された場合のサーバあるいはクライアントとなるコンピュータシステムの内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【０１４２】
以上、本発明の実施形態について図面を参照して詳述したが、具体的な構成はこの実施形態に限られるものではなく、本発明の要旨を逸脱しない範囲の設計変更等も含まれる。
【符号の説明】
【０１４３】
Ａ１、Ａ２、３１２−１〜３１２−ｎ…太陽光発電システム、１、１０１…家屋、２、１０２…外部設備、３、１０３…ケーブル、１１、１１１…屋根、１２、１１２…屋内、２１、１２１…太陽光発電モジュール、３１、１３１…接続箱、３２、１３２…パワーコンディショナー、３３、１３３…モニター、３４、１３４…分電盤、３５、３６、１３５、１３６…電力量メーター、４１、１４１…負荷、２０１、３１１…情報処理装置、２１１…入力部、２１２…出力部、２１３…記憶部、２１４…制御部、２２１…情報取得部、２２２…変換部、２２３…判定部、２３１…モジュール状態情報算出部、２３２…発電量情報算出部、２４１…故障判定部、１０１１〜１０１３、１１１１〜１１１２、１２１１〜１２１２、１２２１、１３１１、１４１１、２０１１、２０１２、２１１１〜２１１３…特性、２０２１…立ち上がり部、２０２２…立ち下がり部、Ｔ１、Ｔ２、Ｔ１１、Ｔ１２…時刻、２１２１〜２１２２…発電量の劣化量、３０１…情報処理システム、３１３…ネットワーク
【図１】
2018137961.tif 000003
【図２】
2018137961.tif 000004
【図３】
2018137961.tif 000005
【図４】
2018137961.tif 000006
【図５】
2018137961.tif 000007
【図６】
2018137961.tif 000008
【図７】
2018137961.tif 000009
【図８】
2018137961.tif 000010
【図９】
2018137961.tif 000011
【図１０】
2018137961.tif 000012
【図１１】
2018137961.tif 000013
【図１２】
2018137961.tif 000014
【図１３】
2018137961.tif 000015